(57)【要約】      （修正有）【課題】リモコンが落下などの衝撃に耐えられるリモコン保護パッドを提供する。【解決手段】保護パッドをリモコンの四隅にビスで取り付け、リモコンと保護パッドの間にベルトを通す。【選択図】図２
0003157359.tif 000002
【実用新案登録請求の範囲】
【考案の詳細な説明】
【技術分野】
【０００１】  本発明は、指令機（リモコン）が落下などに耐えられるように保護カバーを作成したものである。
【背景技術】
【０００２】  修理データーを分析した結果  落下した場合  指令機の重量バランスが内臓電池方向に重く負担がかかり、破損が集中する事が判明。１年前からゴム板をベルトに通して  修理返却したら好評のため  ポリプロピレンで保護カバー開発
【考案の開示】
【考案が解決しようとする課題】
【０００３】  メーカーは  首かけベルトを作成して落下破損は無いとの判断だった。しかし現場では油汚れにより使用しなくなる傾向が強く、落下した場合、プラケース交換などの修理費用や廃棄を考えると  顧客へ安価なサービスを提供できる。
【課題を解決するための手段】  社内会議で提案し意見交換をした結果  上記の問題を解決し顧客に最善のサービスを提供できると決定。外注先に課題解決を依頼。
【考案の効果】
【０００４】  以上のように  本発明は  四隅を保護カバー（３．５ｍｍ厚）の補強により落下破損を大幅に回避。しかも  顧客へ安価に提供でき顧客の喜びを弊社の喜びと繋げることができる。
【考案を実施するための形態】
【０００５】  ポリプロピレンＪ７０７ＥＧは軽量で柔軟性があり発明の効果で記述している通りクッション性が良い。
【実施例】
【０００６】  本考案の保護カバー図面に説明が記載されているが  保護カバーを送信機にビスで取り付け内側にベルトを通し装着。試作材質をポリプロピレンＪ７０７ＥＧ（対衝撃性）色ＤＩＧ５４１の使用により  落下時の破損が見られなく  好評である。
0003157359.tif 000003
0003157359.tif 000004
【手続補正書】
【提出日】平成21年8月20日(2009.8.20)
【手続補正１】
【補正対象書類名】実用新案登録請求の範囲
【補正対象項目名】全文
【補正方法】変更
【補正の内容】
【実用新案登録請求の範囲】
【請求項１】
従来品よりは  パットを送信機の四隅にビスで取り付け内側にベルトを通した為にクッション性が発揮され落下時の破損が減少。
【請求項２】
前記パットは  送信機へ装着できることにより  落下時の保護が最大限に発揮され  プラケース破損が減少し環境にも良い保護パットである。
【手続補正２】
【補正対象書類名】明細書
【補正対象項目名】全文
【補正方法】変更
【補正の内容】
【考案の詳細な説明】
【技術分野】
【０００１】  本発明は、指令機（リモコン）が落下などの衝撃に耐えられるように保護パットを作成したものである。
【背景技術】
【０００２】  修理データーを分析した結果  落下した場合  指令機の重量バランスが内臓電池方向に重く負担がかかり、破損が集中する事が判明。１年前からゴム板をベルトに通して  修理返却したら好評のため  ポリプロピレンＪ７０７ＥＧで保護パットを開発
【考案の概要】
【考案が解決しようとする課題】
【０００３】  メーカーは  首かけベルトを作成して落下破損は無いとの判断だった。しかし現場では油汚れにより使用しなくなる傾向が強く落下した場合、プラケース交換などの修理費用や廃棄を考えると  顧客へ安価なサービスを提供できる。
【課題を解決するための手段】  社内会議で提案し意見交換をした結果  上記の問題を解決し顧客に最善のサービスを提供できると決定。外注先に課題解決を依頼。
【考案の効果】
【０００４】  以上のように本考案は指令機の四隅を保護パット（３．５ｍｍ厚）で補強する事により落下破損を大幅に回避。しかも、顧客が安心して使用でき  顧客の喜びを弊社の喜びと繋げることができる。
【図面の簡単な説明】
【０００５】
【図１】  耐衝撃性ポリプロピレンＪ７０７ＥＧで製作した保護パットをビスで取り付け内側にベルトを通した平面図である。
【図２】  指令機の上部と下部に四隅をビスで止める保護パットの断面図である。
【考案を実施するため形態】
【０００６】  指令機の上、下の四隅に耐衝撃性のポリプロピレンで製作した保護パット装着し、保護パットの内側から首掛けベルトを通した。
【実施例】
【０００７】  標準男性の腰程度の高さから落下させたり、あらゆる角度から落下を試みたが指令機に問題は無く、プラケースも破損しなかった。【０００８】  ユーザーに試験的に装着したものを使用していただいたが、安心して使用できると好評であった。
【産業上の利用可能性】
【０００９】  落下破損による修理ではプラケース交換がされる常識なのだが安価で安心して使用できると感謝されている。また  プラケース破棄が減少し環境破壊防止にも貢献できる。需要がメーカーのユ＾ザーに限られているのがデメリットである。
【手続補正３】
【補正対象書類名】図面
【補正対象項目名】全図
【補正方法】変更
【補正の内容】
【図１】
0003157359.tif 000005
【図２】
0003157359.tif 000006
【手続補正書】
【提出日】平成21年10月23日(2009.10.23)
【手続補正１】
【補正対象書類名】実用新案登録請求の範囲
【補正対象項目名】全文
【補正方法】変更
【補正の内容】
【実用新案登録請求の範囲】
【請求項１】
リモコン保護パットを指令機の四隅にビスで取り付け  指令機と保護パットの間にベルトを通したことを特徴とするリモコン保護パット。
【手続補正２】
【補正対象書類名】明細書
【補正対象項目名】全文
【補正方法】変更
【補正の内容】
【考案の詳細な説明】
【技術分野】
【０００１】  本発明は、指令機（リモコン）が落下などの衝撃に耐えられるように保護パットを作成したものである。
【背景技術】
【０００２】  修理データーを分析した結果  落下した場合  指令機の重量バランスが内蔵電池方向に重く負担がかかり、破損が集中する事が判明。１年前からゴム板をベルトに通して  修理返却したら好評のため  ポリプロピレンＪ７０７ＥＧで保護パットを開発
【考案の概要】
【考案が解決しようとする課題】
【０００３】  メーカーは  首かけベルトを作成して落下破損は無いとの判断だった。しかし現場では油汚れにより使用しなくなる傾向が強く落下した場合、プラケース交換などの修理費用や廃棄を考えると  顧客へ安価なサービスを提供できる。
【課題を解決するための手段】  社内会議で提案し意見交換をした結果  上記の問題を解決し顧客に最善のサービスを提供できると決定。外注先に課題解決を依頼。
【考案の効果】
【０００４】  以上のように本考案は指令機の四隅を保護パット（３．５ｍｍ厚）で補強する事により落下破損を大幅に回避。しかも、顧客が安心して使用でき  顧客の喜びを弊社の喜びと繋げることができる。
【図面の簡単な説明】
【０００５】
【図１】  耐衝撃性ポリプロピレンＪ７０７ＥＧで製作した保護パットをビスで取り付け内側にベルトを通した平面図である。
【図２】  指令機の上部と下部に四隅をビスで止める保護パットの断面図である。
【考案を実施するため形態】
【０００６】  指令機の上、下の四隅に耐衝撃性のポリプロピレンで製作した保護パット装着し、保護パットの内側から首掛けベルトを通した。
【実施例】
【０００７】  標準男性の腰程度の高さから落下させたり、あらゆる角度からの落下を試みたが指令機に問題は無く、プラケースも破損しなかった。【０００８】  ユーザーに試験的に装着したものを使用していただいたが、安心して使用できると好評であった。
【産業上の利用可能性】
【０００９】  落下破損による修理ではプラケース交換がされる常識なのだが安価で安心して使用できると感謝されている。また  プラケース破棄が減少し環境破壊防止にも貢献できる。需要がメーカーのユーザーに限られているのがデメリットである。